(57)【要約】【課題】指針の回動角度にかかわらず、指針による指示内容を確実に把握することができる車載用計器を提供すること。【解決手段】表示内容を適宜変更できる電気光学素子表示部３０と、回動可能に設けられると共に少なくとも電気光学素子表示部３０の一部と重なり合う第二指針（指針）３３とを備え、電気光学素子表示部３０には、第二指針３３により指示する目盛り３３ｂとこの指示内容を示す表示シンボル３７とが表示されている車載用計器１０であって、電気光学素子表示部３０は、第二指針３３の回動角度に応じてこの第二指針３３と表示シンボル３７とが重ならないように、この表示シンボル３７の表示位置を変更する。【選択図】  図４
2004314785.tif 000002
【特許請求の範囲】
【請求項１】
表示内容を適宜変更できる電気光学素子表示部と、回動可能に設けられると共に少なくとも前記電気光学素子表示部の一部と重なり合う指針とを備え、前記電気光学素子表示部には、前記指針により指示する目盛りとこの指示内容を示す表示シンボルとが表示されている車載用計器であって、
前記電気光学素子表示部は、前記指針の回動角度に応じて該指針と前記表示シンボルとが重ならないように、該表示シンボルの表示位置を変更することを特徴とする車載用計器。
【請求項２】
請求項１に記載の車載用計器であって、前記電気光学素子表示部は、前記指針と前記表示シンボルとが重なった後に、該表示シンボルの表示位置を変更することを特徴とする車載用計器。
【請求項３】
請求項１に記載の車載用計器であって、前記電気光学素子表示部は、前記指針と前記表示シンボルとが重なる前に、該表示シンボルの表示位置を変更することを特徴とする車載用計器。
【請求項４】
請求項１に記載の車載用計器であって、前記電気光学素子表示部は、前記指針の回動角度に応じて、前記表示シンボルをあらかじめ設定された表示位置に表示することを特徴とする車載用計器。
【発明の詳細な説明】
【０００１】
【発明の属する技術分野】
この発明は、表示内容を適宜変更できる電気光学素子表示部と、測定値をアナログ的に表示する指針とが設けられた車載用計器に関するものである。
【０００２】
【従来の技術】
従来の車載用計器としては、図５に示すようなものが知られている（例えば、特許文献１参照）。
【０００３】
この車載用計器１は周囲が枠体２によって囲まれており、この枠体２の内側には一対の目盛り３Ａ、３Ｂが円弧状に表示された目盛板３が取り付けられている。この目盛板３は、液晶素子を有する電気光学素子表示部により構成されており、表示内容を適宜変更することができる。
【０００４】
また、目盛板３の裏面側には図示しない一対のステッピングモータが配設され、このステッピングモータの出力軸４Ａ、４Ｂはそれぞれ目盛板３を貫通している。そして、目盛板３を貫通した出力軸４Ａ、４Ｂには、それぞれ放射方向に延在された指針５Ａ、５Ｂが接続されている。
【０００５】
この指針５Ａ、５Ｂは回動自在にされており、回動角度にかかわらず先端部が円弧状に表示された目盛り３Ａ、３Ｂの近傍に位置することとなる。
【０００６】
さらに、この指針５Ａ、５Ｂの回動中心と目盛り３Ａ、３Ｂとの間には、指針５Ａ、５Ｂにより表示される情報の内容を示す表示シンボル６Ａ、６Ｂが表示されている。
【０００７】
このような表示装置１では、所定の測定値等に基づいて一対のステッピングモータがそれぞれ駆動し、出力軸４Ａ、４Ｂが矢印で示すように回動する。これにより、指針５Ａによって目盛り３Ａの所定位置を指示し、指針５Ｂによって目盛り３Ｂの所定位置を指示している。
【０００８】
【特許文献１】
特願平８−９５１４７号公報（
【０００９】、
【００１０】）
【０００９】
【発明が解決しようとする課題】
ところで、上述の車載用計器１では、指針５Ａ、５Ｂの回動角度によっては、この指針５Ａ、５Ｂの回動中心と目盛り３Ａ、３Ｂとの間に表示されている表示シンボル６Ａ、６Ｂと指針５Ａ、５Ｂとが重なってしまうことがあった。
【００１０】
そのため、指針５Ａ、５Ｂがどのような内容の情報を表示しているのかが認識できず、誤認を生ずるおそれがあった。
【００１１】
この発明は、上記問題に鑑みてなされたものであり、指針の回動角度にかかわらず、指針による指示内容を確実に把握することができる車載用計器を提供することを目的としている。
【００１２】
【課題を解決するための手段】
請求項１の発明は、表示内容を適宜変更できる電気光学素子表示部と、回動可能に設けられると共に少なくとも電気光学素子表示部の一部と重なり合う指針とを備え、電気光学素子表示部には、指針により指示する目盛りとこの指示内容を示す表示シンボルとが表示されている車載用計器であって、電気光学素子表示部は、指針の回動角度に応じてこの指針と表示シンボルとが重ならないように、この表示シンボルの表示位置を変更することを特徴としている。
【００１３】
請求項１の発明によれば、指針の回動角度に応じて表示シンボルの表示位置が変更され、指針と表示シンボルとが重ならないようにされているので、指針の回動角度に関わらず、常に表示シンボルを視認することができる。
【００１４】
そのため、指針によって指示されている情報の内容を確実に把握することができ、誤認を防止することができる。
【００１５】
請求項２の発明の車載用計器は、請求項１に記載の車載用計器であって、電気光学素子表示部は、指針と表示シンボルとが重なった後に、この表示シンボルの表示位置を変更することを特徴としている。
【００１６】
請求項２の発明によれば、請求項１の効果に加え、指針と表示シンボルとが重なった後に表示シンボルの表示位置が変更されるので、指針が回動しても表示シンボルと重ならない限り表示シンボルの表示位置は変更されない。
【００１７】
そのため、表示シンボルの表示位置がむやみに変更されず、表示シンボルを視認しやすくすることができる。
【００１８】
請求項３の発明は、請求項１に記載の車載用計器であって、電気光学素子表示部は、指針と表示シンボルとが重なる前に、この表示シンボルの表示位置を変更することを特徴としている。
【００１９】
請求項３の発明によれば、請求項１の効果に加え、指針と表示シンボルとが重なる前に表示シンボルの表示位置が変更されるので、表示シンボルを常時視認しつづけることができる。そのため、表示内容の誤認を確実に防止することができる。
【００２０】
請求項４の発明は、請求項１に記載の車載用計器であって、電気光学素子表示部は、指針の回動角度に応じて、表示シンボルをあらかじめ設定された表示位置に表示することを特徴としている。
【００２１】
請求項４の発明によれば、請求項１の効果に加え、表示シンボルが変更する位置があらかじめ設定されているので、表示シンボルの表示位置が制限されて視認しやすく、指針による指示内容を認識しやすくすることができる。
【００２２】
また、指針と表示シンボルとが常時重ならないようにすることができて、表示内容の誤認を確実に防止することができる。
【００２３】
【発明の実施の形態】
以下、図面に基づいてこの発明の実施の形態を説明する。
【００２４】
図１は、車載用計器１０の正面図を示しており、自動車等の車両の車室前部に設けられたインストルメントパネル（図示せず）部分に配設されている。そして、この車載用計器１０は、車両の運転手から視認可能な情報表示面２０を備えている。
【００２５】
情報表示面２０は、インストルメントパネルに設けられたハウジング２１の内側に形成されている。この情報表示面２０には、図１において左側から順にエンジン回転数表示部２２と、速度表示部２３とが設けられている。さらに、この情報表示面２０には、エンジン警告灯２４、ＡＢＳ警告灯２５、燃料残量警告灯２６等の各種警告灯、及び、ターンシグナル表示灯２７、ハイビーム表示灯２８等の各種表示灯等が設けられている。
【００２６】
さらに、エンジン回転数表示部２２と速度表示部２３との間には、電気光学素子表示部３０が配設されている。
【００２７】
エンジン回転数表示部２２は円形に形成された表示部であり、放射方向に延在された指針２２ａがほぼ中心に回動自在に設けられている。また、このエンジン回転数表示部２２の周縁部には、左下から右下にかけてスケール目盛り２２ｂが円弧状に設けられている。さらに、２２ｃはエンジン回転表示部２２を取り囲む環状枠体である。
【００２８】
そして、指針２２ａは、エンジンの回転数に応じて情報表示面２０の後側に配設された図示しないモータ等により回動し、スケール目盛り２２ｂの所定位置を指示する。これによりエンジンの回転数が表示される。
【００２９】
また、速度表示部２３もエンジン回転数表示部２２と同様の円形に形成された表示部であり、放射方向に延在された指針２３ａがほぼ中心に回動自在に設けられている。また、この速度表示部２３の周縁部には、左下から右下にかけてスケール目盛り２３ｂが円弧状に設けられ、さらに、このスケール目盛り２３ｂの内側には、第二のスケール目盛り２３ｃが円弧状に設けられている。なお、２３ｄは速度表示部２３を取り囲む環状枠体である。
【００３０】
そして、指針２３ａは、車両の走行速度に応じて情報表示面２０の後側に配設された図示しないモータ等により回動し、スケール目盛り２３ｂ、２３ｃの所定位置を指示する。これにより車両の走行速度が表示される。
【００３１】
電気光学素子表示部３０はほぼ矩形の表示部であり、液晶ディスプレイ３１を有している。
【００３２】
この液晶ディスプレイ３１は、重なり合う一対の偏光板と、この一対の偏光板の間に挟み込まれた液晶板とを備えている。そして、液晶板は、液晶層と、この液晶層の両面を挟み込む酸化スズ膜、ＩＴＯ（インジウム―スズ酸化物）膜等からなる一対の透明電極と、この一対の透明電極をさらに挟み込む一対のガラス板等の透明板等により構成されている。
【００３３】
液晶ディスプレイ３１を有する電気光学素子表示部３０は、表示領域が自由に制御可能となっており、所望の内容を適宜表示することができる。そして、この電気光学素子表示部３０には、後述する第一〜第四指針３２〜３５が指示する各種目盛り３２ｂ〜３５ｂと、その指示内容をそれぞれ示す各種表示シンボル３６〜３９と、外気温、時刻、総走行距離、区間走行距離等が表示されている。
【００３４】
また、情報表示面２０と電気光学素子表示部３０との境界部分には枠体２９が設けられ、この情報表示面２０と電気光学素子表示部３０とが区画されている。
【００３５】
さらに、電気光学素子表示部３０は、前後方向に僅かな間隙をおいて情報表示面２０よりも後側に位置している（図３参照）。
【００３６】
そして、電気光学素子表示部３０の左右両側部には、複数の指針（第一指針〜第四指針）３２〜３５がそれぞれ回動自在に設けられている。
【００３７】
複数の指針３２〜３５はそれぞれ同様の構成となっており、ここでは図２に示すように、第一指針３２について説明する。
【００３８】
第一指針３２の回動中心３２ａは、電気光学素子表示部３０の正面視右側部であって、且つ、情報表示面２０と電気光学素子表示部３０との間に設けられた僅かな間隙に対向して位置している。
【００３９】
そして、この第一指針３２は、その回動角度に応じて、図２において実線で示すように情報表示面２０と電気光学素子表示部３０との間の間隙から突出して電気光学素子表示部３０の前側に位置し、電気光学素子表示部３０に重なり合ったり、図２において二点鎖線で示すように情報表示面２０の後側に位置して、情報表示面２０に重なったりする。
【００４０】
なお、この各指針３２〜３５の各回動中心３２ａ〜３５ａは、図３に示すように、それぞれ情報表示面２０の後側に配設されたモータ等の回転駆動部Ｋに接続されており、所定の測定値に応じてそれぞれ回動するようになっている。
【００４１】
また、目盛り３２ｂは、第一指針３２の先端の回動軌跡に沿って表示されており、円弧状に表示されたスケール部３２ｂ１と、スケール部３２ｂ１を挟んで第一指針３２と反対側に表示された複数の符号部３２ｂ２とを備えている。
【００４２】
さらに、目盛り３２ｂと第一指針３２の回動中心３２ａとの間には、この第一指針３２で指示している表示内容を示す表示シンボル３６が表示されている。
【００４３】
次に、この車載用計器１０の作用について説明する。
【００４４】
この車載用計器１０に設けられたエンジン回転数表示部２２では、エンジンの回転数に応じて指針２２ａが回動してスケール目盛り２２ｂの所定位置を指示することにより、エンジンの回転数を表示している。
【００４５】
一方、速度表示部２３では、車両の走行速度に応じて指針２３ａが回動してスケール目盛り２３ｂ、２３ｃの所定位置を指示することにより、車両の走行速度を表示している。
【００４６】
そして、電気光学素子表示部３０では、液晶ディスプレイ３１により、第一指針３２の先端の回動軌跡に沿った水温目盛り３２ｂと、第二指針３３の先端の回動軌跡に沿った燃料目盛り３３ｂと、第三指針３４の先端の回動軌跡に沿った油圧目盛り３４ｂと、第四指針３５の先端の回動軌跡に沿った充電目盛り３５ｂとが表示されている。
【００４７】
また、各目盛り３２ｂ〜３５ｂと各指針３２〜３５の回動中心３２ａ〜３５ａとの間には、水温を表示することを示す表示シンボル３６、残燃料を表示することを示す表示シンボル３７、油圧を表示することを示す表示シンボル３８、充電を表示することを示す表示シンボル３９がそれぞれ表示されている。
【００４８】
なお、この各表示シンボル３６〜３９は、ここでは図形であるが文字（例えば「水温」「残燃料」等）による表示であってもよい。
【００４９】
そして、第一指針３２がエンジン冷却水の温度に応じて回動し、液晶ディスプレイ３１（電気光学素子表示部３０）に表示された水温目盛り３２ｂの所定の位置を指示することにより、水温を表示している。
【００５０】
同様に、第二指針３３が燃料の残燃料の量に応じて回動し、液晶ディスプレイ３１に表示された燃料目盛り３３ｂの所定位置を指示することにより、残量燃料を表示している。
【００５１】
そして、第三指針３４がエンジンオイルの油圧に応じて回動し、液晶ディスプレイ３１に表示された油圧目盛り３４ｂの所定位置を指示することにより、オイルの油圧を表示している。
【００５２】
さらに、第四指針３５がバッテリーの充電残量に応じて回動し、液晶ディスプレイ３１に表示された充電目盛り３５ｂの所定位置を指示することにより、バッテリーの充電残量を表示している。
【００５３】
このように所定の測定値等に応じて各指針３２〜３５は回動するので、例えば図４（ａ）に示すように、燃料を補充した直後であれば、残燃料に基づいて回動する第二指針３３は、「残燃料がＦｕｌｌ（十分に）に残っている」状態を示す目盛り３３ｂの符号部３３ｂ２中の「Ｆ」を指示する。
【００５４】
ここで、「Ｆ」は第二指針３３の回動中心３３ａに対して右方向斜め上に位置しているので、第二指針３３は約一時の方向に沿って傾斜している。
【００５５】
一方、第二指針３３が残燃料を表示することを示す表示シンボル３７は、第二指針３３の回動中心３３ａに対して、ほぼ水平方向に対向して位置している。
【００５６】
そして、残燃料が次第に減ってくると、その残燃料の量に基づいて第二指針３３が図４（ａ）に矢印Ｘで示すように時計回り方向に回動する。
【００５７】
図４（ｂ）に示すように、残燃料が約半分になった場合では、第二指針３３は回動中心３３ａに対してほぼ水平方向に沿って傾斜する。
【００５８】
このとき、表示シンボル３７が破線で示すように回動中心３３ａに対してほぼ水平方向に対向して位置していると、表示シンボル３７と第二指針３３とが重なってしまう。そのため、この表示シンボル３７は、第二指針３３と重ならないように表示位置が下側に変更させられる。
【００５９】
さらに残燃料が減り、図４（ｃ）に示すように第二指針３３が「残燃料がＥｍｐｔｙ（空）になった」状態を示す目盛り３３ｂの符号部３３ｂ２中の「Ｅ」を指示した場合では、この第二指針３３は回動中心３３ａに対して右方向斜め下である約五時の方向に沿って傾斜する。
【００６０】
このとき、表示シンボル３７が破線で示す位置に表示されていると第二指針３３と重なるので、表示シンボル３７は、第二指針３３と重ならないように表示位置が上側に変更させられる。
【００６１】
このように、第二指針３３が所定角度回動し、この回動した第二指針３３と表示シンボル３７の一部とが重なったら、表示シンボル３７の表示位置が変更させられる。つまり、第二指針３３の回動角度に応じて表示シンボル３７の表示位置が随時変化する。
【００６２】
これにより、第二指針３３の回動角度に関わらず、常に表示シンボル３７を視認することができる。
【００６３】
そのため、第二指針３３によって指示されている情報の内容を確実に把握することができ、誤認が生ずることを防止できる。
【００６４】
また、上述の実施の形態では、第二指針３３と表示シンボル３７の一部とが重なった後に、表示シンボル３７の表示位置が変更される。そのため、第二指針３３が多少回動しても表示シンボル３７と重ならない限り、この表示シンボル３７の表示位置は変更されない。
【００６５】
これにより、表示シンボル３７の表示位置がむやみに変更されず、表示シンボル３７を視認しやすくすることができる。
【００６６】
以上、この発明にかかる実施の形態の一つを図面により詳述してきたが、具体的な構成は上述の実施の形態に限らない。この発明の要旨を逸脱しない範囲の設計の変更等はこの発明に含まれる。
【００６７】
例えば、第二指針３３と表示シンボル３７とが全く重ならないうちに、この表示シンボル３７の表示位置を変更してもよい。
【００６８】
つまり、第二指針３３と表示シンボル３７との間に一定の間隙が常時生ずるように表示シンボル３７の表示位置を変更する。これにより、表示シンボル３７を常時視認しつづけることができ、第二指針３３により指示されている内容を誤認することなく、確実に情報内容を把握することができる。
【００６９】
また、第二指針３３の回動角度に応じて、表示シンボル３７があらかじめ設定された表示位置に表示されるようにしてもよい。
【００７０】
つまり、第二指針３３が回動中心３３ａに対して水平方向よりも上方を指示している場合は、表示シンボル３７を回動中心３３ａに対して水平方向よりも下側に位置させ、第二指針３３が回動中心３３ａに対して水平方向よりも下方を指示している場合は、表示シンボル３７を回動中心３３ａに対して水平方向よりも上側に位置させる。
【００７１】
これにより、表示シンボル３７の表示位置が制限されて視認しやすく、第二指針３３による指示内容を認識しやすくすることができる。
【００７２】
また、第二指針３３と表示シンボル３７とが常時重ならないようにすることができて、第二指針３３による指示内容の誤認を確実に防止することができる。
【００７３】
さらに、上述の実施の形態では、第二指針３３の回動角度と表示シンボル３７との関係のみを説明しているが、第一〜第四指針３２〜３５と表示シンボル３６〜３９とのがそれぞれ重ならないように、適宜表示シンボル３６〜３９の表示位置を変更してよい。
【００７４】
【発明の効果】
この発明によれば、指針の回動角度にかかわらず、指針による指示内容を確実に把握することができる車載用計器を提供することができる。
【図面の簡単な説明】
【図１】この発明に係る車載用計器を示す正面図である。
【図２】図１におけるＡの拡大図である。
【図３】（ａ）図２において指針が格納されていない状態のＢ−Ｂ断面図である。
（ｂ）図２において指針が格納されている状態のＢ−Ｂ断面図である。
【図４】（ａ）第二指針が右斜め上方を指示している場合の表示シンボルの位置を示す説明図である。
（ｂ）第二指針が水平方向を指示している場合の表示シンボルの位置を示す説明図である。
（ｃ）第二指針が右斜め下方を指示している場合の表示シンボルの位置を示す説明図である。
【図５】従来の車載用計器を示す正面図である。
【符号の説明】
１０    車載用計器
３０    電気光学素子表示部
３３    指針（第二指針）
３３ｂ  目盛り
３７    表示シンボル
【図１】
2004314785.tif 000003
【図２】
2004314785.tif 000004
【図３】
2004314785.tif 000005
【図４】
2004314785.tif 000006
【図５】
2004314785.tif 000007